(57)【要約】【課題】食器が収納される収納室と、収納室内の温度を表示する温度表示手段を備える配膳車に関し、温度表示手段に適切な温度表示を行い得る配膳車を提供する。【解決手段】配膳車１では、冷蔵室３１等の室内温度を冷蔵室サーミスタ８６等で検知し、冷蔵温度表示部６０等に表示する（Ｓ２３）。そして、更新期間タイマ８７で計時される更新期間の経過に基づいて、冷蔵温度表示部６０等の温度表示を随時更新する。この時、冷蔵運転スイッチ６１等を操作すると、更新期間タイマ８７を初期化し（Ｓ２１）、冷蔵温度表示部６０等に、その時点における冷蔵室３１等の温度表示を行う。又、冷蔵室サーミスタ８６等で異常温度を検知し、エラーが発生した場合（Ｓ２４：ＹＥＳ）、発生しているエラーが解消した時点で、更新期間タイマ８７を初期化し（Ｓ２１）、エラー解消時における冷蔵室３１等の室内温度を冷蔵温度表示部６０等に表示する（Ｓ２３）。【選択図】図９
2008099892.tif 000002
【特許請求の範囲】
【請求項１】
食品が載置された食器を収納可能な収納室と、
前記収納室内の温度を調整する温度調整手段と、
前記収納室内の温度を検知する温度検知手段と、
前記温度検知手段の検知結果に基づいて、前記収納室内の温度を表示する温度表示手段と、を備える配膳車において、
前記温度調整手段の運転の有無を切り換える操作手段と、
前記温度表示手段の温度表示が更新される所定の更新期間を計時する計時手段と、
前記計時手段による所定の更新期間の経過に基づいて、前記温度表示手段の表示を更新すると共に、前記操作手段の操作に基づいて、前記計時手段による計時結果を初期化する表示制御手段と、を備えることを特徴とする配膳車。
【請求項２】
食品が載置された食器を収納可能な収納室と、
前記収納室内の温度を調整する温度調整手段と、
前記収納室内の温度を検知する温度検知手段と、
前記温度検知手段の検知結果に基づいて、前記収納室内の温度を表示する温度表示手段と、を備える配膳車において、
前記温度表示手段の温度表示が更新される所定の更新期間を計時する計時手段と、
前記計時手段による所定の更新期間の経過に基づいて、前記温度表示手段の表示を更新すると共に、前記温度検知手段により異常が検知された場合に、前記計時手段による計時結果を初期化する表示制御手段と、を備えることを特徴とする配膳車。
【発明の詳細な説明】
【技術分野】
【０００１】
本発明は、食器が収納される収納室を備え、収納室に収納された食器の配膳に用いられる配膳車に関し、特に、収納室内の温度を表示可能な温度表示手段を備える配膳車に関するものである。
【背景技術】
【０００２】
従来、食器が収納される収納室を備え、当該収納室内を適温に温度調整する配膳車が、ホテル、病院等の様々な環境下で用いられている。これらの配膳車は、収納室内を適温に温度調整することで、食器に盛り付けられた料理を適温で配膳することができ、且つ、多くの料理を配膳することも可能であるため、多人数の料理を提供する必要がある環境において非常に有用に活用されている。
【０００３】
ここで、これらの配膳車では、料理を適温で配膳する必要性から、配膳作業者が、収納室内の温度状況を適確に把握する必要がある。この点を考慮して、収納室内の温度を表示する温度表示部を備えた配膳車が、種々開発されている。このような温度表示部を備えた配膳車として、特許文献１に記載された配膳車が知られている。
【特許文献１】特開２００５−２４５９７５号公報
【０００４】
又、温度表示部を備えた配膳車においては、随時、収納室内の温度を検知し、リアルタイムに収納室内の温度を温度表示部に表示するように構成されているものがある。ここで、リアルタイムに収納室内温度の表示を更新する配膳車の場合、収納室に配設されている扉を開放した場合等の種々の状況下において、実際の収納室内の温度に比べ極端に高い温度又は低い温度が、温度表示部に表示されることがある。この現象は、温度表示部の表示をリアルタイムに更新することを要因としており、使用者が「極端に高い温度表示又は極端に低い温度表示」を視認することで誤解してしまうため、好ましいものではない。
【０００５】
この問題点を解決するために、温度表示部の表示を所定の時間間隔で更新するように構成された配膳車が存在する。このような配膳車では、温度表示部の表示を所定の時間間隔で更新するため、扉を開放した場合等の種々の状況変化の影響を少なくすることができる。即ち、使用者に誤解を招く温度表示を少なくすることができるので、所定の時間間隔で温度表示を更新する配膳車は、上述したリアルタイムに温度表示を更新する配膳車に比べ、有用である。
【発明の開示】
【発明が解決しようとする課題】
【０００６】
上述したように、所定の時間間隔で温度表示を更新する配膳車では、温度表示のめまぐるしい変化を防止できるという利点があるが、所定の時間間隔で温度表示を更新するため、所定の時間間隔が経過するまで、以前の収納室内温度が表示されてしまうという問題点がある。
特に、配膳車において、温度調整機能（例えば、ヒータユニットや冷却ユニット）の運転開始時や、収納室内の温度を検知する温度検知部（例えば、サーミスタ）が異常温度を検知し、当該異常温度からの復帰時等の場合には、収納室内の温度が大きく変化する為、実際の収納室内の温度と、温度表示されている温度に大きな誤差が生じてしまう。そして、この実際の収納室内の温度と大きくずれた温度表示がされた状態が、最長で所定の時間間隔分の期間継続されるため、使用者が収納室内温度を誤解してしまう虞があった。
又、上記の場合も含め、所定の時間間隔毎に温度表示を更新する配膳車では、配膳作業者が現時点における収納室内の温度を即座に知りたい場合であっても、所定の時間間隔の経過に伴う温度表示の更新を待たなければならない。つまり、当該配膳車においては、即座に知りたいという配膳作業者等の要求を満たす手段がなかった。
【０００７】
本発明は、前記従来の問題点を解消するためになされたものであり、食器が収納される収納室と、収納室内の温度を表示する温度表示手段を備える配膳車に関し、温度表示手段に適切な温度表示を行い得る配膳車を提供することを目的とする。
【課題を解決するための手段】
【０００８】
前記目的を達成するため請求項１に係る配膳車は、食品が載置された食器を収納可能な収納室と、前記収納室内の温度を調整する温度調整手段と、前記収納室内の温度を検知する温度検知手段と、前記温度検知手段の検知結果に基づいて、前記収納室内の温度を表示する温度表示手段と、を備える配膳車において、前記温度調整手段の運転の有無を切り換える操作手段と、前記温度表示手段の温度表示が更新される所定の更新期間を計時する計時手段と、前記計時手段による所定の更新期間の経過に基づいて、前記温度表示手段の表示を更新すると共に、前記操作手段の操作に基づいて、前記計時手段による計時結果を初期化する表示制御手段と、を備えることを特徴とする。
【０００９】
また、請求項２に係る配膳車は、食品が載置された食器を収納可能な収納室と、前記収納室内の温度を調整する温度調整手段と、前記収納室内の温度を検知する温度検知手段と、前記温度検知手段の検知結果に基づいて、前記収納室内の温度を表示する温度表示手段と、を備える配膳車において、前記温度表示手段の温度表示が更新される所定の更新期間を計時する計時手段と、前記計時手段による所定の更新期間の経過に基づいて、前記温度表示手段の表示を更新すると共に、前記温度検知手段により異常が検知された場合に、前記計時手段による計時結果を初期化する表示制御手段と、を備えることを特徴とする。
【発明の効果】
【００１０】
請求項１に係る配膳車は、温度調整手段により収納室内の温度を適温に調整しつつ、前記収納室内に載置された食器に盛り付けられた料理等を配膳する際に用いられる。そして、この配膳車には、温度表示手段が配設されており、温度検知手段の検知結果に基づく収納室内温度が表示され、計時手段で計時される所定の更新期間の経過毎に、随時更新される。
ここで、温度調整手段の運転の有無を切り替える操作手段の操作が行われると、表示制御手段によって、計時手段の計時結果が初期化されるので、その時点における収納室内の温度が温度表示手段に表示される。これにより、配膳作業者が即座に収納室内の温度を把握したい場合、当該操作手段を操作するだけで、所定の更新期間の経過を待つことなく、その時点における収納室内の温度を把握することができる。
【００１１】
また、前記請求項２記載の配膳車は、温度調整手段により収納室内の温度を適温に調整しつつ、前記収納室内に載置された食器に盛り付けられた料理等を配膳する際に用いられる。そして、この配膳車には、温度表示手段が配設されており、温度検知手段の検知結果に基づく収納室内温度が表示され、計時手段で計時される所定の更新期間の経過毎に、随時更新される。
ここで、温度検知手段により異常が検知されると、表示制御手段によって、前記計時手段による計時結果が初期化されるので、その時点における収納室内の温度が温度表示手段に表示される。つまり、異常が解消した時点の収納室内の温度が温度表示手段に表示されるので、異常からの復帰時において、配膳作業者は、更新期間の経過を待つことなく、その時点における収納室内の温度を把握することができる。
【発明を実施するための最良の形態】
【００１２】
本発明を所謂ワゴンタイプの配膳車に適用した一実施形態について、図面を参照しつつ詳細に説明する。
ここで、ワゴンタイプの配膳車とは、例えば、１０〜２０食分の料理が入ったホテルパン・シートパンなどのトレーを保冷・保温の運転中の庫内に収納し、食事をする場所まで搬送した後に、保冷・保温を再運転させて待機しつつ、適時になり次第、トレーを庫内より取り出して天上部にのせ、個別の皿へ盛りつける配膳作業に適した配膳車である。
【００１３】
先ず、本実施形態に係る配膳車１の概略構成について、図面を参照しつつ詳細に説明する。図１は、本実施形態に係る配膳車１の外観斜視図である。
図１に示すように、配膳車１は、移動架台２と、移動架台２に載置された本体３、本体３の上部に設けられた天板４等から構成されている。
【００１４】
この点、移動架台２には、その底面に車輪１１が配設されていて、前後方向に移動可能とされている。さらに、その底面にブレーキペダル１２が装備されていて、ブレーキペダル１２を軽く踏むだけで、確実に床に固定することができる。これにより、配膳作業に伴う待機中や傾斜地等において、配膳車１の不意な移動を防ぐことできる。
【００１５】
また、図２に示すように、本体３は、その内部に、冷蔵室３１と、温蔵室３２、機械室３３に形成されている。冷蔵室３１には、保冷すべき料理が入ったトレー１７が収納される（図１参照）。そして、温蔵室３２には、保温すべき料理が入ったトレー１７が収納される（図１参照）。又、機械室３３には、コンプレッサ３９等で構成される冷却ユニット４２が配設されている。尚、この冷蔵室３１、温蔵室３２、機械室３３の詳細については、後に図面を参照しつつ詳細に説明する。
【００１６】
そして、本体３正面側には、温蔵室用扉１３、冷蔵室用扉１４、機械室用パネル１５が配設されている（図１参照）。温蔵室用扉１３は、温蔵室３２の正面部分に開閉自在に配設されている。そして、温蔵室用扉１３には、窓１６が形成されており、温蔵室３２内に収納された複数のトレー１７を確認することができる。そして、冷蔵室用扉１４は、冷蔵室３１の正面部分に開閉自在に配設されている。この冷蔵室用扉１４にも、温蔵室用扉１３と同様、窓１６が形成されており、温蔵室３２内に収納された複数のトレー１７を確認することができる。一方、機械室用パネル１５は、機械室３３の正面部分に配設されており、機械室３３正面部分の開口縁にネジ止め固定されている。
【００１７】
図１に示すように、上下の配置関係にある冷蔵室用扉１４、機械室用パネル１５と、温蔵室用扉１３との間には、オペレーションパネル２０が設けられている。このオペレーションパネル２０は、冷蔵室３１、温蔵室３２の温度制御に係る操作を行う為の操作部である。尚、オペレーションパネル２０の詳細については、後に図面を参照しつつ詳細に説明する。
【００１８】
天板４には、その端部に、ハンドル２１が設けられている。このハンドル２１は、配膳作業者がハンドル２１を握ることにより、配膳車１の移動操作を容易にしている。
又、天板４には、折畳式サイドテーブル２２が配設されている。この折畳式サイドテーブル２２は、天板４上面と水平となる位置で固定することが可能であり、天板４及び折畳式サイドテーブル２２に、トレー１７を置くことができる。即ち、天板４及び折畳式サイドテーブル２２の上面を、トレー１７に入った料理を陳列するためのスペースや盛り付け作業をするためのスペース等として利用できる。
尚、図１では、折畳式サイドテーブル２２を拡げた状態を示しているが、本体３の側面に沿って折り畳むことが可能である。
【００１９】
次に、本実施形態に係る配膳車１の冷蔵室３１と温蔵室３２の構成について説明する。図３に示すように、冷蔵室３１は、その周囲をウレタン発泡による断熱材４０で覆われた断熱箱体として構成されており、冷蔵室３１内の断熱性能を高めた構造になっている。
また、温蔵室３２は、その周囲を断熱板４１で覆われた断熱箱体として構成されており、温蔵室３２内の断熱性能を高めた構造になっている。この点、本体３の大きさの制約などから、冷蔵室３１と温蔵室３２とを隣り合わせに形成しているが、断熱材４０及び断熱板４１によって、隣り合う冷蔵室３１と温蔵室３２との間が断熱されることから、冷蔵室３１と温蔵室３２の機能が損なわれることはない。
【００２０】
そして、機械室３３には、上述したように、冷蔵室３１を冷却するための冷却ユニット４２が配設されている。冷却ユニット４２は、コンプレッサ３９や、凝縮器、空冷ファン、空気フィルタ、蒸発器、キャピラリ、定圧式膨張弁等で構成されている。
ここで、冷却ユニット４２の蒸発器を構成する銅パイプ４３は、冷蔵室内壁面３４の左右上面の裏側に貼り付けられており、ウレタン発泡による断熱材４０によって包まれている。従って、冷蔵室３１内部の空気は、冷蔵室内壁面３４を介して、銅パイプ４３により冷却される。そして、冷蔵室３１内部の空気が冷却されることで冷蔵室３１内に自然対流が生じるので、冷蔵室３１内部は均等に冷却される。
尚、冷却される冷蔵室内壁面３４は、約−１５℃から約−５℃に抑えられる。
【００２１】
一方、温蔵室３２には、機械室３３と隣り合う温蔵室内壁面３５に、ヒータパネル４５が配設されている。このヒータパネル４５の遠赤外線による輻射によって、温蔵室３２内に収納された料理を温蔵することができる。更に、温蔵室３２では、暖気が強制的に循環されており、これによっても、温蔵室３２内に収納された料理を温蔵することができる。
【００２２】
ここで、温蔵室３２の温蔵機能に係るヒータユニット５４の構成について、図面を参照しつつ詳細に説明する。図４は、ヒータユニット５４に係る構成の概要を示す説明図である。
図４に示すように、温蔵室３２においては、上述したように、機械室３３と隣り合う温蔵室内壁面３５にヒータパネル４５が設けられており、ヒータパネル４５の裏面側にコードヒータ５５が配設されている。
更に、ヒータパネル４５の裏面側には、ヒータパネル４５に対向する位置に仕切板５３が設けられ、ヒータパネル４５と仕切板５３の間に吹出流路５７を形成している。ここで、仕切板５３には、吹出流路５７表面側にコードヒータ５５が配設されている。そして、吹出流路５７は、ヒータパネル４５の下方に形成された吹出口５８を介して、温蔵室３２下部で温蔵室３２内部と連通している。
【００２３】
一方、仕切板５３裏面側においては、仕切板５３に対向する位置に吸気板５９が設けられており、仕切板５３と吸気板５９の間に吸込流路４９を形成している。そして、吸込流路４９は、吸気板５９の裏側に形成された加熱ファン室４８を介して、吹出流路５７に連通している。
ここで、加熱ファン室４８には、吸込流路４９を介して、温蔵室３２内の空気を吸い込み、吹出流路５７を介して、当該空気を温蔵室３２へと吹き出す加熱ファン５６が配設されている。
従って、コードヒータ５５と加熱ファン室４８に設置された加熱ファン５６とが駆動すると、温蔵室３２内の空気は、吸込流路４９に流入し、加熱ファン室４８を通過した後に、吹出流路５７に流入する。そして、吹出流路５７に流入した空気は、コードヒータ５５により加熱されて暖気となり、吹出口５８を介して、温蔵室３２内部に吹き出される。温蔵室３２に吹き出された暖気は、再度、吸込流路４９から吸い込まれることになるので、温蔵室３２内の空気の流れは、暖気の強制的循環構造となる。
【００２４】
次に、冷蔵室３１、温蔵室３２の温度制御に係る操作を行う為のオペレーションパネル２０について、図面を参照しつつ詳細に説明する。図５は、オペレーションパネル２０の操作部分を示す説明図である。
【００２５】
図５に示すように、オペレーションパネル２０には、冷蔵室３１に関し、冷蔵温度表示部６０、冷蔵温度設定操作部６５、冷蔵運転スイッチ６１、冷蔵運転ランプ６２が配設されている。
冷蔵温度表示部６０は、後述する温度表示制御処理プログラムに基づいて、冷蔵室３１の庫内温度又は設定温度を表示する表示手段である。冷蔵温度表示部６０における庫内温度表示は、所定の更新期間毎に随時、その時点の庫内温度に更新される。この冷蔵温度表示部６０の表示に係る制御については後に図面を参照しつつ詳細に説明する。
冷蔵温度設定操作部６５には、冷蔵温度設定ボタン６６、冷蔵温度上昇ボタン６７、冷蔵温度下降ボタン６８が配設されている。冷蔵温度設定ボタン６６は、冷蔵室３１の温度制御における設定温度を設定する際に用いるボタンである。そして、冷蔵温度上昇ボタン６７、冷蔵温度下降ボタン６８は、冷蔵室３１の設定温度の値を上昇、下降させるためのボタンである。
【００２６】
また、冷蔵運転スイッチ６１は、冷却ユニット４２の運転又は運転停止を行う為のスイッチであり、冷蔵運転スイッチ６１がＯＮされると、後述する冷蔵運転制御プログラムに基づき、冷却ユニット４２の運転が開始される。即ち、冷蔵運転スイッチ６１をＯＮすることにより、冷蔵室３１は、設定された設定温度に基づいて冷却される。
そして、冷蔵運転ランプ６２は、冷蔵運転スイッチ６１に連動して点灯、消灯するランプである。即ち、冷蔵運転スイッチ６１をＯＮ操作すると、冷蔵運転ランプ６２は点灯し、ＯＦＦ操作すると、冷蔵運転ランプ６２は消灯する。従って、冷蔵運転ランプ６２の点灯態様を確認することで、配膳作業者は、冷却ユニット４２の運転態様を確認することができる。
【００２７】
又、オペレーションパネル２０には、温蔵室３２に関し、温蔵温度表示部７０、温蔵温度設定操作部７５、温蔵運転スイッチ７１、温蔵運転ランプ７２が配設されている。
温蔵温度表示部７０は、後述する温度表示制御処理プログラムに基づいて、温蔵室３２の庫内温度又は設定温度を表示する表示手段である。温蔵温度表示部７０における庫内温度表示は、所定の更新期間毎に随時、その時点の庫内温度に更新される。この温蔵温度表示部７０の表示に係る制御については後に図面を参照しつつ詳細に説明する。
温蔵温度設定操作部７５には、温蔵温度設定ボタン７６、温蔵温度上昇ボタン７７、温蔵温度下降ボタン７８が配設されている。温蔵温度設定ボタン７６は、温蔵室３２の温度制御における設定温度を設定する際に用いるボタンである。そして、温蔵温度上昇ボタン７７、温蔵温度下降ボタン７８は、温蔵室３２の設定温度の値を上昇、下降させるためのボタンである。
【００２８】
また、温蔵運転スイッチ７１は、加熱ファン５６及びコードヒータ５５の運転又は運転停止を行う為のスイッチであり、温蔵運転スイッチ７１がＯＮされると、後述する温蔵運転制御プログラムに基づき、コードヒータ５５及び加熱ファン５６の運転が開始される。即ち、温蔵運転スイッチ７１をＯＮすることにより、温蔵室３２は、設定された設定温度に基づいて加温される。
そして、温蔵運転ランプ７２は、温蔵運転スイッチ７１に連動して点灯、消灯するランプである。即ち、温蔵運転スイッチ７１をＯＮ操作すると、温蔵運転ランプ７２は点灯し、ＯＦＦ操作すると、温蔵運転ランプ７２は消灯する。従って、温蔵運転ランプ７２の点灯態様を確認することで、配膳作業者は、コードヒータ５５及び加熱ファン５６の運転態様を確認することができる。
【００２９】
ここで、冷蔵室３１、温蔵室３２に対する設定温度の設定操作について説明する。尚、冷蔵室３１、温蔵室３２のいずれについても、設定温度の設定操作は同様であるので、冷蔵室３１に対する設定温度の設定操作を例として説明する。
【００３０】
通常、冷蔵温度表示部６０には、冷蔵室３１の庫内温度が点灯表示されている。ここで、冷蔵温度設定ボタン６６が押下されると、冷蔵温度表示部６０には、冷蔵室３１の庫内温度に代わって、冷蔵室３１に係る現在の設定温度が点滅表示される。
この時、冷蔵温度設定ボタン６６が押下された状態を維持することで、冷蔵室３１に係る設定温度を変更可能な設定モードとする。そして、この設定モードにおいて、冷蔵温度上昇ボタン６７、冷蔵温度下降ボタン６８を操作することにより、冷蔵室３１に係る設定温度を所望の設定温度に変更することができる。つまり、冷蔵温度設定ボタン６６を押下した状態で冷蔵温度上昇ボタン６７を押下することで、点滅表示中の冷蔵室３１に係る設定温度を上昇させる。又、冷蔵室３１に係る設定温度を下げたい場合には、冷蔵温度設定ボタン６６を押下した状態で、冷蔵温度下降ボタン６８の操作を行う。
そして、冷蔵温度表示部６０に点滅表示されている冷蔵室３１に係る設定温度が所望の値になったときに、冷蔵温度設定ボタン６６の押下状態を解除する。これにより、設定モードから抜け出すと同時に、点滅表示中の値が新たな設定温度に変更される。
【００３１】
次に、本実施形態に係る配膳車１の制御系について、図面を参照しつつ詳細に説明する。図６は、配膳車１の制御系を示すブロック図である。
図６に示すように、配膳車１の制御系は、コントロールユニット８０を核として構成されている。このコントロールユニット８０は、ＣＰＵ８１、ＲＯＭ８２、ＲＡＭ８３等から構成されている。
ＲＯＭ８２には、冷蔵室３１に関する温度制御プログラム、温蔵室３２に係る温度制御プログラムと共に、後述する温蔵運転制御処理プログラム（図７参照）、冷蔵運転制御処理プログラム（図８参照）、温度表示制御処理プログラム（図９参照）等、配膳車１の制御上必要な各種のプログラムが格納されている。そして、ＣＰＵ８１は、係るＲＯＭ８２に記憶されている各種プログラムに基づいて各種の演算を行うものである。又、ＲＡＭ８３は、ＣＰＵ８１の演算処理結果等に関する一時記憶手段として用いられる。
【００３２】
また、コントロールユニット８０には、オペレーションパネル２０が接続されている。上述したように、オペレーションパネル２０には、冷蔵温度表示部６０、冷蔵運転スイッチ６１、冷蔵温度設定操作部６５（即ち、冷蔵温度設定ボタン６６、冷蔵温度上昇ボタン６７、冷蔵温度下降ボタン６８）、温蔵温度表示部７０、温蔵運転スイッチ７１、温蔵温度設定操作部７５（即ち、温蔵温度設定ボタン７６、温蔵温度上昇ボタン７７、温蔵温度下降ボタン７８）が配設されている。
冷蔵運転スイッチ６１、冷蔵温度設定操作部６５、温蔵運転スイッチ７１、温蔵温度設定操作部７５の機能については、既に説明済であるので、その説明は省略する。そして、冷蔵運転スイッチ６１、冷蔵温度設定操作部６５、温蔵運転スイッチ７１、温蔵温度設定操作部７５の操作に基づく操作信号は、コントロールユニット８０に送信され、当該コントロールユニット８０では、当該操作信号に基づく制御が行われる。
そして、冷蔵温度表示部６０、温蔵温度表示部７０は、上述したように、夫々、冷蔵室３１、温蔵室３２に係る室内温度、設定温度が表示される。そして、冷蔵温度表示部６０、温蔵温度表示部７０の表示は、後述する温度表示制御処理プログラムに基づいて制御される。
【００３３】
そして、コントロールユニット８０には、温蔵室サーミスタ８５、冷蔵室サーミスタ８６が接続されている。
温蔵室サーミスタ８５は、温蔵室３２に配設されており、温蔵室３２内の温度を検知する。そして、温蔵室サーミスタ８５は当該検知結果をコントロールユニット８０に送信するので、コントロールユニット８０は、当該温蔵室サーミスタ８５の検知結果に基づき、温蔵室３２の温度制御及び温蔵温度表示部７０の表示制御を行う。
冷蔵室サーミスタ８６は、冷蔵室３１に配設されており、冷蔵室３１内の温度を検知する。そして、冷蔵室サーミスタ８６は当該検知結果をコントロールユニット８０に送信するので、コントロールユニット８０は、当該冷蔵室サーミスタ８６の検知結果に基づき、冷蔵室３１の温度制御及び冷蔵温度表示部６０の表示制御を行う。
【００３４】
また、コントロールユニット８０には、温度制御回路８９を介して、ヒータユニット５４が接続されている。上述したように、ヒータユニット５４は、コードヒータ５５、加熱ファン５６等により構成されている。ここで、温度制御回路８９は、ＣＰＵ８１からの指令に従って、コードヒータ５５、加熱ファン５６の駆動制御を行うものである。
更に、このコントロールユニット８０には、温度制御回路８９を介して、冷却ユニット４２が接続されている。冷却ユニット４２は、上述のように、コンプレッサ３９や、凝縮器、空冷ファン、空気フィルタ、蒸発器、キャピラリ、定圧式膨張弁等で構成されている。そして、温度制御回路８９は、ＣＰＵ８１からの指令に従って、コンプレッサ３９等の駆動制御も行う。
【００３５】
そして、コントロールユニット８０には、更新期間タイマ８７と、駆動制御タイマ８８が接続されている。
更新期間タイマ８７は、冷蔵温度表示部６０、温蔵温度表示部７０における温度表示を更新すべき更新期間（例えば、１５秒）を計時する計時手段である。更新期間タイマ８７は、後述する温度表示制御処理プログラムを実行することでＣＰＵ８１から送信される信号に基づいて、制御（計時の開始、リセット等）される。
駆動制御タイマ８８は、コンプレッサ３９、コードヒータ５５の運転開始に係る所定期間を計時する為の計時手段である。そして、駆動制御タイマ８８は、常時計時を行っており、後述する温蔵運転制御処理プログラム、冷蔵運転制御処理プログラムにおいて、適宜参照される。
尚、駆動制御タイマ８８を参照することで、判断される所定の期間（運転遅延期間、運転待機期間、同時起動禁止期間）については、後に詳細に説明する。
【００３６】
又、コントロールユニット８０には、バッテリ９０が接続されている。従って、バッテリ９０は、配膳車１の制御系に係る駆動源として機能する。又、バッテリ９０は、オペレーションパネル２０にも接続されている。つまり、バッテリ９０は、冷蔵温度表示部６０、温蔵温度表示部７０の表示に係る駆動源としても機能する。
ここで、バッテリ９０は、電源コネクタ９１を介して、外部電源９５と接続可能に構成されており、外部電源９５からの電力供給を受けることで充電することができる。又、電源コネクタ９１を介して、外部電源９５と接続しておくことも可能であるため、配膳車１は、外部電源９５を駆動源として、各種制御を行うことも可能である。
【００３７】
続いて、本実施形態に係る配膳車１における温蔵運転制御処理プログラムについて、図面を参照しつつ詳細に説明する。図７は、温蔵運転制御処理プログラムのフローチャートである。
この温蔵運転制御処理プログラムは、ＣＰＵ８１により実行されることで、ヒータユニット５４の運転態様を制御し、温蔵室３２に対する温度調整を行う為のプログラムである。
【００３８】
図７に示すように、温蔵運転制御処理プログラムでは、先ず、ＣＰＵ８１は、温蔵運転スイッチ７１がＯＮ操作されているか否かについての判断を行う。温蔵運転スイッチ７１がＯＮ操作されている場合には（Ｓ１：ＹＥＳ）、ＣＰＵ８１は、駆動制御タイマ８８に基づいて、ＲＡＭ８３に温蔵運転開始時期データを格納すると共に、加熱ファン５６の駆動を開始する（Ｓ２）。これにより、加熱ファン５６の運転が開始されるので（Ｓ２）、温蔵室３２内の空気は、コードヒータ５５によって加熱される前に強制的に温蔵室３２内を循環される。一方、温蔵運転スイッチ７１がＯＦＦに操作されている場合（Ｓ１：ＮＯ）、ＣＰＵ８１は、温蔵運転スイッチ７１がＯＦＦ操作された時点を示す温蔵運転停止時期データをＲＡＭ８３に格納し、温蔵運転制御処理プログラムを終了する。
【００３９】
加熱ファン５６の駆動が開始されると（Ｓ２）、ＣＰＵ８１は、駆動制御タイマ８８を参照し、運転遅延期間を経過したか否かについての判断を行う（Ｓ３）。ここで、運転遅延期間とは、温蔵運転スイッチ７１のＯＮ操作からの所定期間（例えば、５秒間）のことである。従って、ＣＰＵ８１は、ＲＡＭ８３に格納されている温蔵運転開始時期データと、駆動制御タイマ８８を参照することで、運転遅延期間の経過に関する判断を行う。運転遅延期間を経過している場合には（Ｓ３：ＹＥＳ）、ＣＰＵ８１は、Ｓ４に処理を移行する。一方、未だ運転遅延期間を経過していない場合には、ＣＰＵ８１は、Ｓ１に処理を戻す。この時、温蔵運転スイッチ７１がＯＮ状態にあれば、加熱ファン５６の運転が継続される。
【００４０】
Ｓ４に移行すると、ＣＰＵ８１は、ＲＡＭ８３に格納されている温蔵運転停止時期データと、駆動制御タイマ８８を参照し、運転待機期間を経過したか否かについての判断を行う。ここで、運転待機期間とは、前回のヒータユニット５４の駆動停止からの所定期間のことである。運転待機期間を経過している場合には（Ｓ４：ＹＥＳ）、ＣＰＵ８１は、Ｓ５に処理を移行する。一方、未だ運転待機期間を経過していない場合には（Ｓ４：ＮＯ）、ＣＰＵ８１は、Ｓ１に処理を戻す。この場合も、温蔵運転スイッチ７１がＯＮ状態にあれば、加熱ファン５６の運転が継続される。
【００４１】
Ｓ５においては、ＣＰＵ８１は、ＲＡＭ８３に格納されているコンプレッサ起動時期データと、駆動制御タイマ８８を参照することにより、同時起動禁止期間を経過したか否かについての判断を行う。ここで、同時起動禁止期間とは、冷却ユニット４２を構成するコンプレッサ３９の起動開始からの所定期間のことである。そして、コンプレッサ運転開始時期データとは、後述する冷蔵運転制御プログラムのＳ１６で、ＲＡＭ８３に格納されるデータであり、コンプレッサ３９の運転を開始した時期を示すデータである。
同時起動禁止期間を経過している場合には（Ｓ５：ＹＥＳ）、ＣＰＵ８１は、Ｓ６に処理を移行する。一方、同時起動禁止期間を経過していない場合（Ｓ５：ＮＯ）、ＣＰＵ８１は、Ｓ１に処理を戻す。この場合も、温蔵運転スイッチ７１がＯＮ状態にあれば、加熱ファン５６の運転が継続される。
【００４２】
そして、Ｓ６に移行すると、ＣＰＵ８１は、温蔵室サーミスタ８５の検知結果に基づく現在の温蔵室３２内の温度（以下、温蔵室内温度という）と、ＲＡＭ８３に格納されている温蔵室３２の設定温度を参照し、温蔵室内温度が設定温度以上であるか否かについての判断を行う。
温蔵室内温度が設定温度以上である場合には（Ｓ６：ＹＥＳ）、ＣＰＵ８１は、コードヒータ５５の駆動を停止する（Ｓ７）。コードヒータ５５の駆動を停止した後、ＣＰＵ８１は、Ｓ１に処理を戻す。一方、温蔵室内温度が設定温度未満の場合（Ｓ６：ＮＯ）、ＣＰＵ８１は、コードヒータ５５を駆動する。ここで、駆動停止状態にあるコードヒータ５５を駆動させる場合には、ＣＰＵ８１は、ＲＡＭ８３にヒータ運転開始時期データを格納する。コードヒータ５５を駆動した後、ＣＰＵ８１は、Ｓ１に処理を戻す。
尚、Ｓ１に処理を戻した場合、温蔵運転スイッチ７１がＯＦＦ操作されていなければ、Ｓ１〜Ｓ８の処理が継続して行われる。
【００４３】
次に、本実施形態に係る配膳車１における冷蔵運転制御処理プログラムについて、図面を参照しつつ詳細に説明する。図８は、冷蔵運転制御処理プログラムのフローチャートである。
この冷蔵運転制御処理プログラムは、ＣＰＵ８１により実行されることで、冷却ユニット４２の運転態様を制御し、冷蔵室３１に対する温度調整を行う為のプログラムである。
【００４４】
図８に示すように、冷蔵運転制御処理プログラムでは、先ず、ＣＰＵ８１は、冷蔵運転スイッチ６１がＯＮ操作されているか否かについての判断を行う。冷蔵運転スイッチ６１がＯＮ操作されている場合には（Ｓ１１：ＹＥＳ）、ＣＰＵ８１は、Ｓ１２に処理を移行する。一方、冷蔵運転スイッチ６１がＯＦＦに操作されている場合（Ｓ１１：ＮＯ）、ＣＰＵ８１は、冷蔵運転スイッチ６１がＯＦＦ操作された時点を示す冷蔵運転停止時期データをＲＡＭ８３に格納し、冷蔵運転制御処理プログラムを終了する。
【００４５】
Ｓ１２に移行すると、ＣＰＵ８１は、駆動制御タイマ８８と、ＲＡＭ８３に格納されている冷蔵運転停止時期データを参照し、運転待機期間を経過したか否かについての判断を行う。ここで、この場合における運転待機期間とは、前回の冷却ユニット４２の駆動停止からの所定期間（例えば、３分間）のことである。運転待機期間を経過している場合には（Ｓ１２：ＹＥＳ）、ＣＰＵ８１は、Ｓ１３に処理を移行する。一方、未だ運転待機期間を経過していない場合には（Ｓ１２：ＮＯ）、ＣＰＵ８１は、再びＳ１１に処理を戻す。
【００４６】
そして、Ｓ１３においては、ＣＰＵ８１は、同時起動禁止期間を経過したか否かについての判断を行う。この場合における同時起動禁止期間とは、ヒータユニット５４を構成するコードヒータ５５の運転開始からの所定期間をいう。具体的には、ＣＰＵ８１は、駆動制御タイマ８８と、ＲＡＭ８３に格納されているヒータ運転開始時期データを参照し、同時起動禁止期間の経過に係る判断を行う。同時起動禁止期間を経過している場合には（Ｓ１３：ＹＥＳ）、ＣＰＵ８１は、Ｓ１４に処理を移行する。一方、未だ同時起動禁止期間を経過していない場合には（Ｓ１３：ＮＯ）、ＣＰＵ８１は、Ｓ１１に処理を戻す。
【００４７】
Ｓ１４に移行すると、ＣＰＵ８１は、冷蔵室サーミスタ８６の検知結果に基づく現在の冷蔵室３１内の温度（以下、冷蔵室内温度という）と、ＲＡＭ８３に格納されている冷蔵室３１の設定温度を参照し、冷蔵室内温度が設定温度以下であるか否かについての判断を行う。
冷蔵室内温度が設定温度以下である場合には（Ｓ１４：ＹＥＳ）、ＣＰＵ８１は、コンプレッサ３９の運転を停止する（Ｓ１５）。コンプレッサ３９の駆動を停止した後、ＣＰＵ８１は、Ｓ１１に処理を戻す。一方、冷蔵室内温度が設定温度より高い場合（Ｓ１４：ＮＯ）、ＣＰＵ８１は、コンプレッサ３９を運転する（Ｓ１６）。ここで、運転停止状態にあるコンプレッサ３９の運転を開始する場合には、ＣＰＵ８１は、ＲＡＭ８３にコンプレッサ運転開始時期データを格納する。コンプレッサ３９を駆動した後、ＣＰＵ８１は、Ｓ１１に処理を戻す。
尚、Ｓ１１に処理を戻した場合、冷蔵運転スイッチ６１がＯＦＦ操作されていなければ、Ｓ１１〜Ｓ１６の処理が継続して行われる。
【００４８】
以上、図７、図８を参照しつつ説明したように、本実施形態に係る配膳車１では、運転遅延期間を経過しなければ、コードヒータ５５の駆動は行われない。これにより、温蔵運転スイッチ７１のチャタリング等によるコードヒータ５５の不要な駆動・駆動停止を防止することができる。又、少なくとも運転遅延期間の間、加熱ファン５６によって、温蔵室３２内空気の強制循環が行われるので、コードヒータ５５が駆動した際における温蔵室３２内の温度分布を均一化することができる。
【００４９】
又、温蔵運転制御処理プログラムにおいて、運転待機期間を経過しなければ、コードヒータ５５の駆動は行われない。即ち、コードヒータ５５の駆動停止した状態を運転待機期間の間、維持することができるので、むやみにコードヒータ５５を駆動・駆動停止することによるヒータユニット５４の短命化を防止することができる。
同様に、冷蔵運転制御処理プログラムにおいても、運転待機期間を経過しなければ、コンプレッサ３９の運転は開始されず、コンプレッサ３９が運転を停止している状態を運転待機期間の間、維持することができる。即ち、むやみにコンプレッサ３９を駆動・駆動停止することによる冷却ユニット４２の短命化を防止することができる。
【００５０】
更に、配膳車１では、温蔵運転制御処理プログラムによって、同時起動禁止期間を経過しなければ、コードヒータ５５を駆動しないように制御される。又、冷蔵運転制御処理プログラムにおいても、同時起動禁止期間を経過しなければ、コンプレッサ３９の運転を開始しないように制御される。即ち、コンプレッサ３９とコードヒータ５５の起動時期が確実に相違することになるため、コンプレッサ３９、コードヒータ５５を同時起動した場合に生じる瞬間的な消費電流の増大を抑えることができる。又、瞬間的な消費電流の増大を抑えることで、配膳車１や電源の故障を防止することも可能となる。
【００５１】
次に、配膳車１における温度表示制御処理プログラムについて、図面を参照しつつ詳細に説明する。図９は、温度表示制御処理プログラムのフローチャートである。
ここで、温度表示制御処理プログラムとは、冷蔵温度表示部６０、温蔵温度表示部７０における温蔵室内温度、冷蔵室内温度の表示を定期的に更新しつつ、所定の場合には、即座に温蔵室内温度、冷蔵室内温度を表示する制御を行う為のプログラムである。
【００５２】
図９に示すように、温度表示制御処理プログラムの実行が開始されると、先ず、ＣＰＵ８１は、更新期間タイマ８７の計時結果を初期化し（Ｓ２１）、更新期間タイマ８７の計時を開始する（Ｓ２２）。そして、更新期間タイマ８７の計時を開始すると同時に、ＣＰＵ８１は、温蔵室サーミスタ８５、冷蔵室サーミスタ８６の検知結果に基づく温蔵室内温度、冷蔵室内温度を、冷蔵温度表示部６０、温蔵温度表示部７０に表示する（Ｓ２３）。
接続されたサーミスタに対応する温度表示部に、温度表示を行った後、ＣＰＵ８１は、Ｓ２４に処理を移行する。
【００５３】
Ｓ２４に移行すると、ＣＰＵ８１は、温蔵室サーミスタ８５、冷蔵室サーミスタ８６で異常温度を検知したか否かについての判断を行う。即ち、ＣＰＵ８１は、温蔵室サーミスタ８５、冷蔵室サーミスタ８６の検知結果に基づく温蔵室内温度、冷蔵室内温度が異常温度であるか否かについての判断を行う。
尚、本実施形態における配膳車１においては、温蔵室サーミスタ８５、冷蔵室サーミスタ８６に対する接続が断線している場合には、検知結果として、極端な温蔵室内温度、冷蔵室内温度（例えば、無限大）をＣＰＵ８１に送信する。従って、温蔵室サーミスタ８５、冷蔵室サーミスタ８６に関する接続が断線している場合には、当該Ｓ２５の処理において、異常温度が検知される。
異常温度を検知した場合（Ｓ２４：ＹＥＳ）、ＣＰＵ８１は、Ｓ２７に処理を移行する。一方、異常温度が検知されなかった場合には（Ｓ２４：ＮＯ）、ＣＰＵ８１は、Ｓ２５に処理を移行する。
【００５４】
異常温度が検知されず（Ｓ２４：ＮＯ）、Ｓ２５に移行すると、ＣＰＵ８１は、冷蔵運転スイッチ６１又は温蔵運転スイッチ７１のＯＮ操作が行われたか否かについての判断を行う。冷蔵運転スイッチ６１又は温蔵運転スイッチ７１のＯＮ操作が行われた場合には（Ｓ２５：ＹＥＳ）、ＣＰＵ８１は、Ｓ２１に処理を戻す。一方、冷蔵運転スイッチ６１、温蔵運転スイッチ７１が何れも操作されなかった場合には（Ｓ２５：ＮＯ）、ＣＰＵ８１は、Ｓ２６に処理を移行する。
ここで、冷蔵運転スイッチ６１又は温蔵運転スイッチ７１のＯＮ操作が行われた時点で、Ｓ２１に処理を戻し、更新期間タイマ８７の計時結果の初期化（Ｓ２１）、更新期間タイマ８７の計時開始（Ｓ２２）、室内温度表示（Ｓ２３）が行われるので、冷蔵運転スイッチ６１又は温蔵運転スイッチ７１が操作された時点で、その時点の室内温度が温度表示される。つまり、配膳作業者は、冷蔵運転スイッチ６１、温蔵運転スイッチ７１の操作を行うだけで、冷蔵室３１、温蔵室３２の室内温度を即座に把握することができる。
【００５５】
そして、Ｓ２６に移行すると、ＣＰＵ８１は、更新期間タイマ８７を参照し、更新期間（例えば、１５秒）を経過したか否かについての判断を行う。更新期間を経過している場合には（Ｓ２６：ＹＥＳ）、Ｓ２１に処理を戻す。これにより、更新期間タイマ８７によって、次の更新期間に係る計時が開始され（Ｓ２１、Ｓ２２）、温度表示部（冷蔵温度表示部６０、温蔵温度表示部７０）では、次の更新期間移行時における温度表示（冷蔵室内温度、温蔵室内温度）がなされる（Ｓ２３）。
一方、未だ更新期間を経過していない場合には（Ｓ２６：ＮＯ）、ＣＰＵ８１は、Ｓ２４に処理を戻す。従って、更新期間を経過するまでは、温度表示部（冷蔵温度表示部６０、温蔵温度表示部７０）には、直前のＳ２３で表示された温度表示（冷蔵室内温度、温蔵室内温度）が表示された状態となる。
【００５６】
ここで、異常温度が検知され（Ｓ２４：ＹＥＳ）、Ｓ２７に移行すると、ＣＰＵ８１は、異常温度を検知したサーミスタに対応する温度表示部にエラー表示を行う（Ｓ２７）。例えば、冷蔵室サーミスタ８６により異常温度が検知された場合には、ＣＰＵ８１は、冷蔵温度表示部６０にエラー表示を表示する。異常温度を検知したサーミスタに対応する温度表示部にエラー表示を行った後、ＣＰＵ８１は、Ｓ２８に処理を移行する。
【００５７】
Ｓ２８に移行すると、ＣＰＵ８１は、エラーが解消したか否かについての判断を行う。即ち、ＣＰＵ８１は、再度、温蔵室サーミスタ８５、冷蔵室サーミスタ８６から検知結果を取得し、異常温度が検知されたか否かについての判断を行う。未だ異常温度を検知し、エラーが解消していない場合には（Ｓ２８：ＮＯ）、ＣＰＵ８１は、Ｓ２７に処理を戻し、該当する温度表示部のエラー表示を継続する。一方、該当するサーミスタからの検知結果が異常温度でなくなっていた場合、ＣＰＵ８１は、エラーが解消されたものと判断し（Ｓ２８：ＹＥＳ）、Ｓ２１に処理を戻す。これにより、更新期間タイマ８７の計時結果の初期化（Ｓ２１）と共に、更新期間タイマ８７によって新たな更新期間の計時が開始され（Ｓ２２）、エラー解消時の温蔵室内温度、冷蔵室内温度が冷蔵温度表示部６０、温蔵温度表示部７０に表示される（Ｓ２３）。
【００５８】
ここで、エラーが解消される具体例について説明する。例えば、実際に冷蔵室内温度、温蔵室内温度が異常温度となっている場合には、冷蔵室内温度、温蔵室内温度が所定の範囲となれば、ＣＰＵ８１は、エラーが解消されたものと判断する。
又、サーミスタに対する接続が断線している場合や、サーミスタ自体が故障している場合には、当該断線部分が接続されたり、サーミスタ自体を交換したりすることで、サーミスタは、異常温度を検知することはなくなる。従って、上記の措置をとることで、ＣＰＵ８１は、エラーが解消されたものと判断する。
上述したように、エラーが解消された時点で（Ｓ２８：ＹＥＳ）、Ｓ２１に処理を戻すので、温度表示部（冷蔵温度表示部６０、温蔵温度表示部７０）におけるエラー表示及びエラー発生時の温度表示は、エラー解消時における温度表示へと変更される（Ｓ２３）。つまり、配膳作業者は、エラーが解消した時点で、その時点における冷蔵室内温度、温蔵室内温度を示す正常な温度表示を把握することができる。
【００５９】
以上、説明したように、本実施形態に係る配膳車１は、温度表示制御処理プログラムを実行し、更新期間タイマ８７の計時結果に基づいて、所定の更新期間毎に、冷蔵温度表示部６０、温蔵温度表示部７０の表示を更新する。これにより、温蔵室用扉１３、冷蔵室用扉１４の開放等の影響を受けて、冷蔵温度表示部６０、温蔵温度表示部７０における温度表示が即座に大きく変動することを防止することができる。つまり、配膳作業者は、温蔵室用扉１３等の開放時においても、冷蔵室３１、温蔵室３２の室内温度を確実に把握することができる。
【００６０】
又、配膳車１では、冷蔵運転スイッチ６１、温蔵運転スイッチ７１がＯＮ操作されると（Ｓ２５：ＹＥＳ）、温度表示制御処理プログラムに基づいて、更新期間タイマ８７の計時結果をリセットし（Ｓ２１）、その時点における冷蔵室内温度、温蔵室内温度を、冷蔵温度表示部６０、温蔵温度表示部７０に表示する（Ｓ２３）。即ち、冷蔵運転スイッチ６１、温蔵運転スイッチ７１を操作することで、配膳作業者は、冷蔵室３１、温蔵室３２の現在の室内温度を即座に把握することが可能となる。
【００６１】
又、温蔵室サーミスタ８５、冷蔵室サーミスタ８６により、異常温度が検知され、エラーが発生した場合には（Ｓ２４：ＹＥＳ）、エラーが解消した時点で（Ｓ２８：ＹＥＳ）、冷蔵室３１、温蔵室３２の現在の室内温度が、冷蔵温度表示部６０、温蔵温度表示部７０に表示される（Ｓ２３）。即ち、エラーが解消された時点で、配膳使用者は、現在の室内温度を冷蔵温度表示部６０、温蔵温度表示部７０の温度表示から把握することができる。この点、エラー発生時の室内温度を示す温度表示が冷蔵温度表示部６０、温蔵温度表示部７０に表示されることはないので、配膳車業者が、冷蔵室３１、温蔵室３２の室内温度を誤解することはない。
【００６２】
尚、本発明は前記実施形態に限定されるものではなく、本発明の趣旨を逸脱しない範囲内で種々の改良、変形が可能であることは言うまでもない。例えば、本実施形態においては、冷蔵室３１、温蔵室３２の両者を備える配膳車１に本発明を適用していたが、冷蔵室３１のみを備える配膳車や、温蔵室３２のみを備える配膳車に適用することも可能である。更に、本実施形態において、配膳車１は手動式の配膳車であったが、配膳車自体がバッテリ等の駆動源によって自走する補助電動式配膳車に適用することも可能である。
【図面の簡単な説明】
【００６３】
【図１】本実施形態に係る配膳車の外観斜視図である。
【図２】本実施形態に係る配膳車において、温蔵室用扉、冷蔵室用扉、機械室用パネル、オペレーションパネルを取り外した状態の本体を示す説明図である。
【図３】本実施形態に係る配膳車の本体の内部構造を示す説明図である。
【図４】本実施形態に係る配膳車のヒータユニットに関する説明図である。
【図５】本実施形態に係る配膳車のオペレーションパネルを示す説明図である。
【図６】本実施形態に係る配膳車の制御系ブロック図である。
【図７】本実施形態に係る配膳車の温蔵運転制御処理プログラムのフローチャートである。
【図８】本実施形態に係る配膳車の冷蔵運転制御処理プログラムのフローチャートである。
【図９】本実施形態に係る配膳車の温度表示制御処理プログラムのフローチャートである。
【符号の説明】
【００６４】
１      配膳車
１７    トレー
３１    冷蔵室
３２    温蔵室
４２    冷却ユニット
５４    ヒータユニット
６０    冷蔵温度表示部
６１    冷蔵運転スイッチ
７０    温蔵温度表示部
７１    温蔵運転スイッチ
８０    コントロールユニット
８５    温蔵室サーミスタ
８６    冷蔵室サーミスタ
８７    更新期間タイマ
【図１】
2008099892.tif 000003
【図２】
2008099892.tif 000004
【図３】
2008099892.tif 000005
【図４】
2008099892.tif 000006
【図５】
2008099892.tif 000007
【図６】
2008099892.tif 000008
【図７】
2008099892.tif 000009
【図８】
2008099892.tif 000010
【図９】
2008099892.tif 000011